(57)【要約】【課題】  通常の操作力で収納体をリテーナから引き出したときに、当接部とストッパとの打音が発生することを防止できる収納装置の提供。【解決手段】  収納体３０が収納位置から引出し位置３０ｂまで引き出されたとき、リテーナ側突起部６０と収納体側突起部７０とが干渉し合っており、当接部５０が脱落防止ストッパ４０に当接しておらず、収納体３０が引出し位置３０ｂから脱落防止位置まで引き出されたとき、リテーナ側突起部６０と収納体側突起部７０とが干渉し合っており、当接部５０が脱落防止ストッパ４０に当接する、収納装置１０。【選択図】        図５
2005212516.tif 000002
【特許請求の範囲】
【請求項１】
リテーナと、
前記リテーナに収納される収納位置と、前記リテーナから引き出される引出し位置と、前記引出し位置よりもさらに引き出される脱落防止位置に、前記リテーナに出し入れ方向に移動可能に支持された収納体と、
前記リテーナに形成される脱落防止ストッパと、
前記収納体に設けられ前記脱落防止ストッパと当接可能な当接部と、
前記リテーナに設けられ前記収納体に接近する方向に突出するリテーナ側突起部と、
前記収納体に設けられ前記リテーナに接近する方向に突出する収納体側突起部と、
を有し、
前記収納体が前記収納位置から前記引出し位置まで引き出されたとき、前記リテーナ側突起部と前記収納体側突起部とが干渉し合っており、前記当接部が前記脱落防止ストッパに当接しておらず、
前記収納体が前記引出し位置から前記脱落防止位置まで引き出されたとき、前記リテーナ側突起部と前記収納体側突起部とが干渉し合っており、前記当接部が前記脱落防止ストッパに当接する、
収納装置。
【請求項２】
前記収納体は手動で前記リテーナに出し入れされる請求項１記載の収納装置。
【請求項３】
前記リテーナ側突起部と前記収納体側突起部とは、前記収納体の前記リテーナに対する出し入れ方向と直交する方向に干渉し合う請求項１記載の収納装置。
【請求項４】
前記リテーナ側突起部の突出方向先端面と前記収納体側突起部の突出方向先端面との少なくとも一方は平面である請求項１記載の収納装置。
【請求項５】
前記リテーナ側突起部は前記リテーナに複数設けられており、前記収納体側突起部は前記収納体に前記リテーナ側突起部と同数設けられている、請求項１記載の収納装置。
【発明の詳細な説明】
【技術分野】
【０００１】
本発明は、車両等に設けられる車両用カップホルダ、車両用小物入れ等の収納装置に関する。
【背景技術】
【０００２】
特開昭６１−８１２４５号公報は、収納体がアクチュエータの駆動力でリテーナから引き出されたときに、リテーナに設けたリテーナ側突起部と収納体に設けた収納体側突起部とが上下方向に干渉し合うことにより、収納体がリテーナに対してがたつくことを防止した、収納装置を開示している。
上記公報に開示された収納装置では、収納体に設けた当接部がリテーナ側に設けたストッパに当ることで収納体のリテーナからの引出し動が止められており、リテーナ側突起部と収納体側突起部とで収納体の引出し動を止めるという思想はない。
【０００３】
しかし、上記公報に開示された収納装置では、当接部がストッパに当ることで収納体のリテーナからの引出し動が止められるので、収納体がアクチュエータの作動によりリテーナから引き出されたとき、必ず当接部とストッパとの打音が生じてしまう。公報の収納装置ではアクチュエータを用いているため、駆動力を調節することで打音低減を図ることができるが、手動式（手で収納体をリテーナから引き出すタイプ）の収納装置の場合引出し力を調整することは困難である。
【特許文献１】特開昭６１−８１２４５号公報
【発明の開示】
【発明が解決しようとする課題】
【０００４】
本発明が解決しようとする問題点は、収納体がリテーナから引き出されたときに必ず当接部とストッパとの打音が発生することである。
本発明の目的は、通常の操作力で収納体をリテーナから引き出したときに、当接部とストッパとの打音が発生することを防止できる収納装置を提供することにある。
【課題を解決するための手段】
【０００５】
上記目的を達成する本発明はつぎの通りである。
（１）  リテーナと、
前記リテーナに収納される収納位置と、前記リテーナから引き出される引出し位置と、前記引出し位置よりもさらに引き出される脱落防止位置に、前記リテーナに出し入れ方向に移動可能に支持された収納体と、
前記リテーナに形成される脱落防止ストッパと、
前記収納体に設けられ前記脱落防止ストッパと当接可能な当接部と、
前記リテーナに設けられ前記収納体に接近する方向に突出するリテーナ側突起部と、
前記収納体に設けられ前記リテーナに接近する方向に突出する収納体側突起部と、
を有し、
前記収納体が前記収納位置から前記引出し位置まで引き出されたとき、前記リテーナ側突起部と前記収納体側突起部とが干渉し合っており、前記当接部が前記脱落防止ストッパに当接しておらず、
前記収納体が前記引出し位置から前記脱落防止位置まで引き出されたとき、前記リテーナ側突起部と前記収納体側突起部とが干渉し合っており、前記当接部が前記脱落防止ストッパに当接する、
収納装置。
（２）前記収納体は手動で前記リテーナに出し入れされる（１）記載の収納装置。
（３）前記リテーナ側突起部と前記収納体側突起部とは、前記収納体の前記リテーナに対する出し入れ方向と直交する方向に干渉し合う（１）記載の収納装置。
（４）前記リテーナ側突起部の突出方向先端面と前記収納体側突起部の突出方向先端面との少なくとも一方は平面である（１）記載の収納装置。
（５）前記リテーナ側突起部は前記リテーナに複数設けられており、前記収納体側突起部は前記収納体に前記リテーナ側突起部と同数設けられている、（１）記載の収納装置。
【発明の効果】
【０００６】
上記（１）の収納装置では、収納体が収納位置から引出し位置まで引き出されたとき、リテーナ側突起部と収納体側突起部とが干渉し合い、当接部が脱落防止ストッパに当接していないので、通常の引出し力で収納体を引き出す時には、リテーナ側突起部と収納体側突起部とがストッパとして働き、当接部と脱落防止ストッパとの当接打音発生を防止できる。
収納体が引出し位置から脱落防止位置まで引き出されたとき、リテーナ側突起部と収納体側突起部とが干渉し合っており、当接部が脱落防止ストッパに当接するので、リテーナ側突起部と収納体側突起部とが干渉し合っても収納体の移動を止めることができないくらいに収納体の引出し力が大きい場合でも、収納体がリテーナから抜けて脱落することはない。
上記（２）の収納装置では、アクチュエータを用いずに手動で出し入れする場合に、上記（１）で得られる作用・効果を得ることができる。
上記（３）の収納装置では、リテーナ側突起部と収納体側突起部とが収納体のリテーナに対する出し入れ方向と直交する方向に干渉し合うので、突起部同士が干渉し合っているときのその方向で、リテーナと収納体との間のクリアランスをなくすことができる。そのため、突起部同士が干渉し合っているときにビビリ音が発生することを防止できる。
上記（４）の収納装置では、収納体３０が引出し位置にあっても脱落防止位置にあってもリテーナ側突起部と収納体側突起部とが干渉し合うことができる。
上記（５）の収納装置では、リテーナ側突起部と収納体側突起部が１つしか設けられていない場合に比べて、リテーナ側突起部と収納体突起部とが干渉し合っているときに収納体がリテーナに対してがたつくことを防止できる。
【発明を実施するための最良の形態】
【０００７】
本発明実施例の収納装置を、図１〜８を参照して、説明する。
本発明実施例の収納装置１０は、たとえば、車両の内装部材であるインスツルメントパネルに設けられる車両用カップホルダである。ただし、収納装置１０が設けられる場所は、インストルメントパネルに限定されるものではなく、たとえば車両の内装部材であるコンソールパネル等であってもよい。また、収納装置１０は、車両用カップホルダに限定されるものではなく、たとえば、車両用小物入れ、車両用灰皿装置等であってもよい（本発明図示例では、収納装置１０が車両用カップホルダである場合を示している）。以下、本発明実施例では、収納装置１０がインストルメントパネルに設けられる車両用カップホルダである場合を例にとって説明する。
【０００８】
収納装置１０は、図１に示すように、リテーナ２０と、収納体３０と、リテーナ２０に形成される脱落防止ストッパ４０と、収納体３０に設けられ脱落防止ストッパ４０と当接可能な当接部５０と、リテーナ２０に設けられ収納体３０に接近する方向に突出するリテーナ側突起部６０と、収納体３０に設けられリテーナ２０に接近する方向に突出する収納体側突起部７０とを、有する。
【０００９】
リテーナ２０は、たとえば金属製である。リテーナ２０は、収納体３０が出し入れされる開口２１を車両後方側端に有する。
【００１０】
収納体３０は、たとえば樹脂製である。収納体３０は、リテーナ２０に車両前後方向に移動（摺動）可能に支持されている。収納体３０は、図１〜図４に示すように、収納体３０の全体またはほぼ全体がリテーナ２０内に収納される収納位置３０ａと、図５〜図７に示すように、収納位置３０ａから車両後方に引き出され収納体３０でカップ類を保持できる引出し位置３０ｂと、図８に示すように、引出し位置３０ｂよりもさらに車両後方に引き出された脱落防止位置３０ｃとに、リテーナ２０に車両前後方向（出し入れ方向）に移動可能に支持されている。
収納体３０は、手動でリテーナ２０に出し入れされる（手動式である）。
収納体３０は、図５に示すように、カップ類が挿入されるカップ挿入用穴３１ａを有する収納体本体３１と、収納体本体３１に対して上下方向に回動可能なトレイ部３２とを、有する。
収納体本体３１は、収納されるカップ類の側壁を保持する。
トレイ部３２は、収納体本体３１がリテーナ２０から引き出されたとき、自重で収納体本体３１に対して下方に回動する。トレイ部３２は、収納されるカップ類の底壁を保持する。
【００１１】
脱落防止ストッパ４０は、リテーナ２０の開口２１側の上壁２２に形成される。脱落防止ストッパ４０は、リテーナ２０に一体に形成される。脱落防止ストッパ４０は、端部を下方かつ車両前方（リテーナ２０奥側）に向けて切り起こして形成される。脱落防止ストッパ４０は、収納体３０をリテーナ２０から引き出すときに収納体３０がリテーナ２０から脱落することを防止するためだけに設けられている。
【００１２】
当接部５０は、収納体３０の上面に形成される。当接部５０は、収納体３０に一体に形成されていてもよく、収納体３０と別体に形成されて収納体３０に固定して取付けられていてもよい。
【００１３】
リテーナ側突起部６０は、図３に示すように、収納体３０をリテーナ２０に対して出し入れする方向と直交（ほぼ直交を含む）するリテーナ壁に設けられる（図示例では、リテーナ側突起部６０がリテーナ２０の上壁２２に設けられる場合を示している）。以下、本発明実施例では、リテーナ側突起部６０がリテーナ２０の上壁２２に設けられる場合を説明する。
リテーナ側突起部６０は、リテーナ２０の上壁２２の裏面に設けられる。リテーナ側突起部６０は、リテーナ２０の上壁２２の一部を下方に凹ますことで一体に形成されていてもよく、リテーナ２０と別体に形成されてリテーナ２０の上壁２２に固定されていてもよい。
リテーナ側突起部６０は、リテーナ２０の上壁２２に少なくとも１個、望ましくは複数設けられている。リテーナ側突起部６０が複数設けられる場合、各リテーナ側突起部６０は、車両前後方向および車両左右方向に異なる位置に設けられていることが望ましい。
リテーナ側突起部６０の車両前方側面（リテーナ奥側面）は、車両前方かつ上方に傾斜する傾斜面６１とされている。
【００１４】
収納体側突起部７０は、収納体３０が収納位置３０ａにあるときにリテーナ側突起部６０が設けられるリテーナ壁（上壁２２）に対向する面に、設けられる。収納体突起部７０は、収納体３０の上面に上方に突出して設けられる。収納体突起部７０の上方への突出量は、収納体突起部７０とリテーナ側突起部６０とが上下方向に干渉する程度とされている。収納体側突起部７０は、収納体３０に一体に形成されていてもよく、収納体３０と別体に形成されて収納体３０に固定して取付けられていてもよい。
収納体側突起部７０は、リテーナ側突起部６０と同数設けられている。収納体側突起部７０の車両後方側面は、車両後方かつ下方に傾斜する傾斜面７１とされている。
【００１５】
リテーナ側突起部６０の突出方向先端面（下面）６２と収納体側突起部７０の突出方向先端面（上面）７２の少なくとも一方は、平面とされている。リテーナ側突起部６０の突出方向先端面６２と収納体側突起部７０の突出方向先端面７２の両方が平面とされていることが望ましい。
【００１６】
ここで、本発明実施例の作動を説明する。
（ａ）  収納体３０が収納位置３０ａにあるとき
図２に示すように、当接部５０は脱落防止ストッパ４０に当接していない。図３、図４に示すように、リテーナ側突起部６０と収納体側突起部７０とは干渉していない（接触していない）。
【００１７】
（ｂ−１）  収納位置３０ａにある収納体３０を通常の引出し力で収納位置３０ａから引き出すとき
収納体３０が移動して引出し位置３０ｂの直前まできたとき、リテーナ側突起部６０の傾斜面６１と収納体側突起部の傾斜面７１とが接触し合う。さらに収納体３０を引出し位置３０ａまで引き出すと、両傾斜面６１、７１が摺動し合うことによりリテーナ側突起部６０が収納体側突起部７０に乗り上がり（両突起部６０、７０が上下方向に干渉し合い）、収納体３０がリテーナ２０の底壁に押付けられる。その結果、収納体３０とリテーナ２０との間に働く摩擦力が大になり、通常の引出し力ではそれ以上収納体３０をリテーナ２０に対して引き出すことはできなくなる。このとき、収納体３０は、引出し位置３０ｂに位置する。
（ｂ−２）  収納体３０が引出し位置３０ｂにあるとき
図５に示すように、トレイ部３２が収納体本体３１に対して下方に回動し、収納装置１０でカップ類を保持できる。当接部５０は脱落防止ストッパ４０に当接していない。図５、図６に示すように、リテーナ側突起部６０が収納体突起部７０に乗りあがっている（上下方向に干渉している）。
【００１８】
（ｃ−１）  収納位置３０ａにある収納体３０を通常の引出し力を超える大引出し力で引き出すとき
収納位置３０ａにある収納体３０を通常の引出し力で引き出すときと同様に、両傾斜面６１、７１が摺動し合うことにより収納体３０がリテーナ２０の底壁に押付けられ、収納体３０とリテーナ２０との間に働く摩擦力が大になる。しかし、大引出し力で引き出されるので、この摩擦力では収納体３０の引出し動を止めることができず、収納体３０はりテーナ２０に対してさらに車両後方に引き出される。収納体３０がさらに車両後方に引き出され収納体３０がリテーナ２０に対して脱落防止位置３０ｃに達したとき、当接部５０が脱落防止ストッパ４０に当接する。当接部５０が脱落防止ストッパ４０に当接すると、収納体３０がそれ以上引き出されることが防止され、収納体３０がリテーナ２０から脱落する（抜けて外れる）ことはない。
（ｃ−２）  収納体３０が脱落防止位置３０ｃにあるとき
図８に示すように、トレイ部３２が収納体本体３１に対して下方に回動し、収納装置１０でカップ類を保持できる。当接部５０は脱落防止ストッパ４０に当接している。リテーナ側突起部６０は収納体突起部７０に乗りあがっている。
【００１９】
つぎに、本発明実施例の作用、効果を説明する。
収納体３０が収納位置３０ａから引出し位置３０ｂまで引き出されたとき、リテーナ側突起部６０と収納体側突起部７０とが上下方向に干渉し合い、当接部５０が脱落防止ストッパ４０に当接していないので、通常の引出し力で収納体３０を引き出す時には、リテーナ側突起部６０と収納体側突起部７０とがストッパとして働き、当接部５０と脱落防止ストッパ４０との当接打音発生を防止できる。
収納体３０が引出し位置３０ｂから脱落防止位置３０ｃまで引き出されたとき、リテーナ側突起部６０と収納体側突起部７０とが上下方向に干渉し合っており、当接部５０が脱落防止ストッパ４０に当接するので、リテーナ側突起部６０と収納体側突起部７０とが干渉し合っても収納体３０の移動を止めることができないくらいに収納体３０の引出し力が大きい場合でも、収納体３０がリテーナ２０から抜けて脱落することはない。
【００２０】
リテーナ側突起部６０と収納体側突起部７０とが収納体３０のリテーナ２０に対する出し入れ方向と直交する方向（上下方向）に干渉し合うので、両突起部６０、７０が干渉し合っているとき、リテーナ２０と収納体３０との間の上下方向クリアランスをなくすことができる。そのため、両突起部６０，７０が干渉し合っているときにビビリ音が発生することを防止できる。
リテーナ側突起部６０と収納体側突起部７０とが上下方向に干渉し合っているとき、リテーナ２０と収納体３０との間の摩擦力により、収納体３０はリテーナ２０に対して車両左右方向に動きにくくなる。そのため、両突起部６０、７０が干渉し合っているとき、収納体３０がリテーナ２０に対して左右方向にがたつくことを防止できる。
【００２１】
リテーナ側突起部６０の突出方向先端面６２と収納体側突起部７０の突出方向先端面７２の少なくとも一方が平面とされているので、収納体３０が引出し位置３０ｂにいても脱落防止位置３０ｃにいても（広範囲で）両突起部６０、７０は干渉し合うことができる。
リテーナ側突起部６０と収納体側突起部７０が複数設けられている場合、両突起部６０、７０が１個づつしか設けられていない場合に比べて、両突起部６０、７０が干渉し合っているときに収納体３０がリテーナ２０に対してがたつくことを防止できる。
【図面の簡単な説明】
【００２２】
【図１】本発明実施例の収納装置の、収納体が収納位置に位置する時の平面図である。
【図２】図１のＡ−Ａ線断面図である。
【図３】図１のＢ−Ｂ線断面図である。
【図４】図１のＣ−Ｃ線断面図である。
【図５】収納体が引出し位置に位置する時の、図１のＡ−Ａ線に対応する断面図である。
【図６】収納体が引出し位置に位置する時の、図１のＢ−Ｂ線に対応する断面図である。
【図７】収納体が引出し位置に位置する時の、図１のＣ−Ｃ線に対応する断面図である。
【図８】収納体が脱落防止位置に位置する時の、図１のＢ−Ｂ線に対応する断面図である。
【符号の説明】
【００２３】
１０  収納装置
２０  リテーナ
３０  収納体
３０ａ  収納位置
３０ｂ  引出し位置
３０ｃ  脱落防止位置
３１  収納体本体
３２  トレイ部
４０  脱落防止ストッパ
５０  当接部
６０  リテーナ側突起部
７０  収納体側突起部
【図１】
2005212516.tif 000003
【図２】
2005212516.tif 000004
【図３】
2005212516.tif 000005
【図４】
2005212516.tif 000006
【図５】
2005212516.tif 000007
【図６】
2005212516.tif 000008
【図７】
2005212516.tif 000009
【図８】
2005212516.tif 000010